(57)【要約】  無線多重ホップのアドホックネットワークにおける送信／受信時間スロットを制御することを容易にする、システムおよび方法が記載される。アクセス端末またはアクセスポイントのようなノードは、その間に特定の識別子を持ったノードが送信および／または受信してよい特定の時間スロットに対応する識別子を選択してよい。相互に１ホップ離れたノードは、隣接するノードが同じ時間スロットの間に送信および／または受信しないことを保証するために、異なる識別子を選択してよい。このようにして、所定のノードによって発生および／または経験される干渉は低減されてよい。【選択図】    ３
2009516486.tif 000002
【特許請求の範囲】
【請求項１】
アクセスノードによるデータ通信のための方法であって：
少なくとも一つのノードの組を検出することと；
該検出された組から一つのノードを選ぶことであって、ここでの選ばれたノードは、それに関連した識別子を有していることと；
少なくとも二つの識別子の組から一つの識別子を選択することと；
該選択された識別子および前記選ばれたノードの識別子の少なくとも一つに基づいてデータを処理すること
を含んでなる方法。
【請求項２】
請求項１に記載の方法であって：前記選ぶことは、
各検出されたノードに関連した識別子を決定することを含んでなり；また
ここでの前記ノードは、少なくとも一つの決定された識別子に基づいて選ばれる方法。
【請求項３】
請求項１に記載の方法であって、前記選択された識別子が、前記選ばれたノードの識別子とは異なる方法。
【請求項４】
請求項１に記載の方法であって、前記少なくとも二つの識別子の組が、選ばれたノードの識別子および選択された識別子を含んでなる方法。
【請求項５】
請求項１に記載の方法であって、前記少なくとも二つの識別子の組が、アクセス端末によってのみ選択されるべき第一の識別子と、アクセス端末またはアクセスポイントの何れかによって選択されるべき第二の識別子を含んでなる方法。
【請求項６】
請求項１に記載の方法であって、前記選択が、前記アクセスノードの送信電力に基づく方法。
【請求項７】
請求項１に記載の方法であって、前記選択が、前記アクセスノードに関連するサービスの質に基づく方法。
【請求項８】
請求項１に記載の方法であって、前記処理が、前記選択された識別子および前記選ばれたノードの識別子の少なくとも一つに基づいて、データを送信または受信することを含んでなる方法。
【請求項９】
請求項８に記載の方法であって、前記データ送信またはデータ受信が前記選ばれたノードに関連する方法。
【請求項１０】
請求項８に記載の方法であって、前記データ受信が、前記選択された識別子に関連する時間スロットの間にデータを受信することを含んでなる方法。
【請求項１１】
請求項８に記載の方法であって、前記データ送信が、前記選ばれたノードの識別子に関連する時間スロットの間にデータを送信することを含んでなる方法。
【請求項１２】
請求項８に記載の方法であって、前記送信または受信されるデータが制御データである方法。
【請求項１３】
請求項８に記載の方法であって、前記送信または受信されるデータがペイロードデータである方法。
【請求項１４】
請求項１に記載の方法であって：更に、
各検出されたノードに関連するチャンネル条件を決定することを含んでなり、前記選択は該チャンネル条件決定に基づく方法。
【請求項１５】
請求項１４に記載の方法であって：前記チャンネル条件決定は、
各検出されたノードに関連する干渉を決定することを含んでなり、前記選択は、該干渉決定に基づく方法。
【請求項１６】
請求項１５に記載の方法であって、前記干渉決定は、前記検出されたノードの識別子に基づく方法。
【請求項１７】
請求項１に記載の方法であって、前記アクセスノードは有線アクセスポイントを含んでなり、更に、前記選択は、前記有線アクセスポイントについての少なくとも二つの識別子の組から、ランダムに一つの識別子を選択することを含んでなる方法。
【請求項１８】
請求項１に記載の方法であって、前記アクセスノードは、有線アクセスポイント、無線アクセスポイント、およびアクセス端末のうちの一つを含んでなる方法。
【請求項１９】
請求項１に記載の方法であって、前記選ばれたノードは、有線アクセスポイント、無線アクセスポイント、およびアクセス端末のうちの一つを含んでなる方法。
【請求項２０】
データ通信のための装置であって：
少なくとも一つのノードの組を検出するための手段と；
検出された組から一つのノードを選ぶための手段であって、該選ばれたノードは関連の識別子を有する手段と；
少なくとも二つの識別子の組から一つの識別子を選択するための手段と；
該選択された識別子、および前記選ばれたノードの識別子の少なくとも一つに基づいてデータを処理するための手段を具備してなる装置。
【請求項２１】
請求項２０に記載の装置であって、前記選ぶための手段は、各検出されたノードに関連する識別子を決定することにより前記ノードを選び、更に、前記ノードは少なくとも一つの決定された識別子に基づいて選ばれる装置。
【請求項２２】
請求項２０に記載の装置であって、前記選択された識別子は、前記選ばれたノードの識別子とは異なる装置。
【請求項２３】
請求項２０に記載の装置であって、前記少なくとも二つの識別子の組は、前記選ばれたノードの識別子および選択された識別子を含んでなる装置。
【請求項２４】
請求項２０に記載の装置であって、前記少なくとも二つの識別子の組は、アクセス端末によってのみ選択されるべき第一の識別子、およびアクセス端末またはアクセスポイントの何れかによって選択されるべき第二の識別子を含んでなる装置。
【請求項２５】
請求項２０に記載の装置であって、前記選択する手段は、前記装置の送信電力に基づいて前記識別子を選択する装置。
【請求項２６】
請求項２０に記載の装置であって、前記選択する手段は、前記装置に関連したサービスの品質に基づいて前記識別子を選択する装置。
【請求項２７】
請求項２０に記載の装置であって、前記処理する手段は、前記選択された識別子および前記選ばれたノードの識別子の少なくとも一つに基づいて、データを送信または受信することによりデータを処理する装置。
【請求項２８】
請求項２７に記載の装置であって、前記データ送信またはデータ受信は、前記選ばれたノードに関連する装置。
【請求項２９】
請求項２７に記載の装置であって、前記処理する手段は、前記選択された識別子に関連した時間スロットの間にデータを受信する装置。
【請求項３０】
請求項２７に記載の装置であって、前記処理する手段は、前記選ばれたノードの識別子に関連した時間スロットの間にデータを送信する装置。
【請求項３１】
請求項２７に記載の装置であって、前記送信または受信されるデータは制御データである装置。
【請求項３２】
請求項２７に記載の装置であって、前記送信または受信されるデータはペイロードデータである装置。
【請求項３３】
請求項２０に記載の装置であって：更に、
各検出されたノードに関連するチャンネル条件を決定するための手段を具備してなり、ここでの前記選択する手段は、前記チャンネル条件決定に基づいて前期識別子を選択する装置。
【請求項３４】
請求項３３に記載の装置であって、前記決定する手段は、各検出されたノードに関連する干渉を決定することによって前記チャンネル条件を決定し、更に、前記選択する手段は、前記干渉決定に基づいて前記識別子を選択する装置。
【請求項３５】
請求項３４に記載の装置であって、前記干渉決定は、前記検出されたノードの識別子に基づく装置。
【請求項３６】
請求項２０に記載の装置であって、前記装置は有線アクセスポイントに実装され、更に、前記選択する手段は、前記少なくとも二つの識別子の組からランダムに一つの識別子を選択する装置。
【請求項３７】
請求項２０に記載の装置であって、前記装置は、有線アクセスポイント、無線アクセスポイントおよびアクセス端末のうちの一つにおいて実装される装置。
【請求項３８】
請求項２０に記載の装置であって、前記選ばれたノードは、有線アクセスポイント、無線アクセスポイントおよびアクセス端末のうちの一つを含んでなる装置。
【請求項３９】
データ通信のための装置であって：
少なくとも一つのノードを含んでなる組を検出するように構成された検出モジュールと；
該検出された組から一つのノードを選ぶように構成された選ぶモジュールであって、該選ばれたノードはそれに関連した識別子を有するモジュールと；
少なくとも二つの識別子の組から一つの識別子を選択するように構成された選択モジュールと；
該選択された識別子および選ばれたノードの識別子の少なくとも一方に基づいてデータを処理するように構成された処理モジュールとを具備する装置。
【請求項４０】
請求項３９に記載の装置であって、前記選ぶモジュールは、各検出されたノードに関連した識別子を決定することによってノードを選び、更に、前記ノードは少なくとも一つの決定された識別子に基づいて選ばれる装置。
【請求項４１】
請求項３９に記載の装置であって、前記選択された識別子は、前記選ばれたノードの識別子とは異なる装置。
【請求項４２】
請求項３９に記載の装置であって、前記少なくとも二つの識別子の組は、前記選ばれたノードの識別子および選択された識別子を含んでなる装置。
【請求項４３】
請求項３９に記載の装置であって、前記少なくとも二つの識別子の組は、アクセス端末によってのみ選択されるべき第一の識別子、およびアクセス端末またはアクセスポイントの何れかによって選択されるべき第二の識別子を含んでなる装置。
【請求項４４】
請求項３９に記載の装置であって、前記選択モジュールは、前記装置の送信電力に基づいて前記識別子を選択する装置。
【請求項４５】
請求項３９に記載の装置であって、前記選択モジュールは、前記装置に関連したサービスの品質に基づいて前記識別子を選択する装置。
【請求項４６】
請求項３９に記載の装置であって、前記処理するモジュールは、前記選択された識別子および前記選ばれたノードの識別子の少なくとも一つに基づいて、データを送信または受信することによりデータを処理する装置。
【請求項４７】
請求項４６に記載の装置であって、前記データ送信またはデータ受信は、前記選ばれたノードに関連する装置。
【請求項４８】
請求項４６に記載の装置であって、前記処理するモジュールは、前記選択された識別子に関連した時間スロットの間にデータを受信する装置。
【請求項４９】
請求項４６に記載の装置であって、前記処理するモジュールは、前記選ばれたノードの識別子に関連した時間スロットの間にデータを送信する装置。
【請求項５０】
請求項４６に記載の装置であって、前記送信または受信されるデータは制御データである装置。
【請求項５１】
請求項４６に記載の装置であって、前記送信または受信されるデータはペイロードデータである装置。
【請求項５２】
請求項３９に記載の装置であって：更に、
各検出されたノードに関連したチャンネル条件を決定するように構成された決定するモジュールを具備してなり、前記選択するモジュールは、該チャンネル条件決定に基づいて前記識別子を選択する装置。
【請求項５３】
請求項５２に記載の装置であって、前記決定するモジュールは、各検出されたノードに関連した干渉を決定することによりチャンネル条件を決定し、更に、前記選択するモジュールは、前記干渉決定に基づいて前記識別子を選択する装置。
【請求項５４】
請求項５３に記載の装置であって、前記干渉決定は、前記検出されたノードの識別子に基づく装置。
【請求項５５】
請求項３９に記載の装置であって、前記装置は有線アクセスポイント内に実装され、更に、前記選択するモジュールは、少なくとも二つの識別子の組からランダムに一つの識別子を選択する装置。
【請求項５６】
請求項３９に記載の装置であって、前記装置は有線アクセスポイント、無線アクセスポイント、およびアクセス端末の一つの中に実装される装置。
【請求項５７】
請求項３９に記載の装置であって、前記選ばれたノードは、有線アクセスポイント、無線アクセスポイント、およびアクセス端末のうちの一つを備えてなる装置。
【請求項５８】
データ通信のためのプロセッサであって：前記プロセッサは、
少なくとも一つのノードを含む組を検出し、
該検出された組から一つのノードを選び、ここで選ばれたノードはそれに関連した識別子を有し；
少なくとも二つの識別子の組から一つの識別子を選択し；
該選択された識別子および前記選ばれたノードの識別子の少なくとも一方に基づいて、データを処理するように構成されるプロセッサ。
【請求項５９】
データ通信のためのコンピュータプログラム製品であって：
コンピュータに対して、
少なくとも一つのノードの組を検出させ；
該検出された組から一つのノードを選ばせ、ここでの選ばれたノードはそれに関連した識別子を有し；
少なくとも二つの識別子の組から一つの識別子を選択させ；
該選択された識別子、および前記選ばれたノードの識別子の少なくとも一方に基づいてデータを処理させる
ためのコードを含んでなる、コンピュータ読取り可能な媒体を具備してなるコンピュータプログラム製品。
【発明の詳細な説明】
【相互参照】
【０００１】
本件特許出願は、２００５年１１月１６日に提出された「メッシュネットワークのための時間スロットの制限」と題する、米国仮出願第６０／７３７，７３１号（代理人事件番号第０５１０４４Ｐ１）の利益を主張するものであり、該仮出願の全体を本明細書の一部として本願に援用する。
【発明の背景】
【０００２】
Ｉ．分野
以下の記述は、一般には無線通信に関し、更に特定すれば、無線通信環境における送信および受信の管理に関する。
【０００３】
ＩＩ．背景
無線通信装置は、消費者のニーズに合致するように、且つ携帯性および利便性を改善するために、更に小さく且つ更に強力になってきている。携帯電話のようなモバイル装置における処理能力の増大は、無線ネットワーク送信システムに対する要求の増大を導いてきた。このようなシステムは、典型的には、それらの上で通信を行う携帯装置のようには容易に更新されない。モバイル装置の能力は拡大するので、新たな且つ改善された無線装置の能力を充分に活用するのを容易にするような方法で、古い無線ネットワークシステムを維持するのは困難である。
【０００４】
特に、周波数分割に基づく技術は、典型的にはスペクトルを均一な帯域幅部分に分離することによって、スペクトルを異なるチャンネルに分離する。例えば、無線通信のために割当てられた周波数帯域の分割は、３０チャンネルに分離されることができ、その各々が音声会話を搬送することができ、またはデジタルサービスを用いてデジタルデータを搬送することができる。各チャンネルは、同時に一人のユーザにしか割当てることができない。一つの既知の変形例は、直行周波数分割技術であり、これは全体のシステム帯域幅を複数の直行副帯域へと効果的に区分する。これらの副帯域はまた、トーン、搬送波、副搬送波、ビン、および／または周波数チャンネルとも称される。各副帯域は、データと共に変調され得る副搬送波と関連付けられる。時間分割に基づく技術では、帯域は時間的に一連の時間スライスまたは時間スロットに分離される。チャンネルの各ユーザは、情報を送信および受信するための時間スライスを提供される。例えば、何れかの与えられた時間ｔにおいて、ユーザには、短いバーストの間だけチャンネルへのアクセスが与えられる。次いで、アクセスはもう一人のユーザに切替わり、該ユーザには、情報を送信および受信するための短いバースト時間が与えられる。これらのユーザは送信および受信を交互に行い、最終的に、各ユーザは複数の送信および受信バーストを与えられる。
【０００５】
コード分割に基づく技術は、典型的には、或る範囲の何れかの時間において利用可能な多くの周波数上でデータを送信する。一般に、データはデジタル化され、利用可能な帯域に亘って拡散され、ここでは複数のユーザが該チャンネル上で重畳されることができ、またそれぞれのユーザは独特のシーケンスコードを与えられることができる。複数のユーザは、スペクトルの同じ広帯域部分において送信することができ、ここでは、各ユーザの信号が、そのそれぞれの独特な拡散コードによって全体の帯域幅上に拡散される。この技術は共有を提供することができ、ここでは、１以上のユーザが同時に送信および受信することができる。このような共有は、拡散スペクトルデジタル変調によって達成することができ、ここではユーザのビットのストリームがコード化され、非常に広いチャンネルを横切って擬ランダムな形式で拡散される。受信機は、一貫して特定のユーザについてのビットを集めるために、関連のユニークなシーケンスコードを認識し、且つランダム化をしないように設計される。
【０００６】
典型的な無線通信ネットワーク（例えば周波数分割、時間分割およびコード分割技術を用いる）は、サービスエリアを与える１以上のベースステーション、および該サービスエリア内でデータを送信および受信できる１以上のモバイル（例えば無線）端末を含んでいる。典型的なベースステーションは、ブロードキャスト、マルチキャスト、および／またはユニキャストサービスのために同時に複数のデータストリームを送信することができ、ここでのデータストリームは、モバイル端末には独立に受信する利益がある可能性をもったデータのストリームである。当該ベースステーションのサービスエリア内にあるモバイル端末は、当該複合ストリームによって搬送される一つ、２以上、または全てのデータストリームを受信することに興味を持つ可能性がある。同様に、モバイル端末は、データをベースステーションまたはもう一つのモバイル端末に送信することができる。ベースステーションとモバイル端末の間、またはモバイル端末の間でのこのような通信は、チャンネルの変動および／または干渉電力の変動によって劣化する可能性がある。従って、無線通信環境におけるスループットを改善するために、当該技術においては、送信および受信スケジュールの連係調整を促進するシステムおよび／または方法についての必要性が存在している。
【概要】
【０００７】
以下では、１以上の側面の基本的理解を提供するために、このような側面の単純化された要約を提示する。この要約は、全ての想定される側面の広範囲の概観ではなく、全ての側面の重要または不可欠な要素を同定することを目的とするものでもなく、また何れかまたは全ての側面の範囲を線引きすることを目的とするものでもない。その唯一の目的は、後述する更に詳細な説明に対する序章として、１以上の側面の幾つかの概念を単純な形態で提示することである。
【０００８】
種々の側面に従って、多重ホップのアドホックなネットワークにおけるノード（例えばアクセス端末、アクセスポイント等）が、所定のノードが情報を送信および／または受信する時間スロットを指示するための識別子を選択してよい。例えば、相互に１ホップ離れたノードは、それらが異なる時間スロットの間に送信し、それによって干渉を低減することを保証するために、異なる識別子を選択してよい。
【０００９】
関連の側面に従えば、データ通信のための方法は、少なくとも一つのノードの組を検出すること、および該検出された組から一つのノードを選ぶことを含むことができる。この選ばれたノードは、それに関連した識別子を有している。当該方法は更に、少なくとも二つの識別子の組から一つの識別子を選択することと、該選択された識別子および選ばれたノードの識別子の少なくとも一つに基づいてデータを処理することを含んでよい。
【００１０】
もう一つの側面は、データ通信のための装置に関する。該装置は、少なくとも一つのノードの組を検出するための手段を含んでなるものである。該装置はまた、検出された組から一つのノードを選ぶための手段を含んでもよい。この選ばれたノードは、関連の識別子を有してよい。該装置は更に、少なくとも二つの識別子の組から一つの識別子を選択するための手段、および該選択された識別子、選ばれたノードの識別子、または選択された識別子および選ばれたノードの識別子の両方に基づいてデータを処理するための手段を具備してもよい。
【００１１】
更にもう一つの側面は、少なくとも一つのノードを含んでなる組を検出するように構成されてよい検出モジュールと、該検出された組からノードを選ぶように構成されてよい選ぶモジュールとを含んでよい、データ通信のための装置に関する。識別子は、該選ばれたノードに関連してよい。当該装置は更に、少なくとも二つの識別子の組から識別子を選択するように構成されてよい選択モジュールと、該選択された識別子および選ばれたノードの識別子の一方または両方に基づいてデータを処理するように構成されてよい処理モジュールとを具備してよい。
【００１２】
更にもう一つの側面は、少なくとも一つのノードを含む組を検出し、かつ該検出された組にから、それに関連した識別子を有するノードを選ぶように構成されてよいプロセッサに関する。該プロセッサは更に、少なくとも二つの識別子の組から一つの識別子を選択し、且つ該選択された識別子の少なくとも一つおよび前記選ばれたノードの識別子に基づいて、データを処理するように構成されてよい。
【００１３】
もう一つの側面は、データ通信のためのコンピュータプログラム製品である。該コンピュータプログラム製品は、コンピュータに、少なくとも一つのノードの組を検出させ、該検出された組から関連した識別子を有するノードを選択させ、少なくとも二つの識別子の組から一つの識別子を選択させ、該選択された識別子、選ばれたノードの識別子、または選択された識別子および選ばれたノードの識別子の両方に基づいてデータを処理させるコードを含んでなる、コンピュータ読取り可能な媒体を具備してよい。コンピュータプログラム製品は、その上にソフトウエアを備えたコンパクトディスク（ＣＤ）のような保存媒体を含んでよい。該ソフトウエアは、命令またはコードを含んでよい。該コンピュータプログラム製品はまた、ＣＤおよびその関連のパッケージを含んでよい。
【００１４】
上記の目的および関連の目的を達成するために、１以上の側面は、以下で完全に記載され且つ特許請求の範囲の中で特に指摘された特徴を含んでなるものである。以下の説明および添付の図面は、これら１以上の側面のうち、一定の例示的側面を詳細に記載する。しかし、これらの側面は、その原理が採用され得る種々の方法の幾つかのみを示すものであり、記載された側面は斯かる側面およびそれらの均等物の全てを含むものである。
【詳細な説明】
【００１５】
次に、図面を参照して種々の側面を説明するが、ここでは全体を通して、同様の要素を参照するためには同様の参照番号が用いられる。以下の説明においては、説明の目的で、１以上の側面の完全な理解を提供するために、多くの特別な詳細が記載される。しかし、斯かる側面は、これら特別な詳細なしでも実施され得ることが明らかであろう。他の場合、１以上の側面の記載を容易にするために、周知の構造および装置はブロック図の形態で示される。
【００１６】
この出願で使用されるとき、「コンポーネント」、「システム」等は、ハードウエア、ソフトウエア、実行中のソフトウエア、ファームウエア、ミドルウエア、マイクロコード、および／またはそれらの何れかの組み合わせのような、コンピュータ関連の実体を指すことを意図している。例えば、コンポーネントは、プロセッサ上で実行されるプロセス、プロセッサ、オブジェクト、実行ファイル、実行のスレッド、プログラム、および／またはコンピュータであってよいが、これらに限定されない。１以上のコンポーネントは、プロセスおよび／またはスレッド内に駐在してよく、またコンポーネントは一つのコンピュータに局在し、および／または二以上のコンピュータの間に分布してよい。また、これらコンポーネントは、その上に保存された種々のデータ構造を有する種々のコンピュータ読取り可能な媒体から実行することができる。該コンポーネントは、１以上のデータパケットを有する信号に従うような、局部的および／または遠隔のプロセスによって通信してよい（例えば、ローカルシステム、分布されたシステムにおける、および／または他のシステムとのインターネットのようなネットワークに亘って、信号によりもう一つのコンポーネントとインタラクトする一つのコンポーネントからのデータ）。加えて、ここに記載するシステムのコンポーネントは、それに関して記載した種々の側面、目標、利点等の達成を容易にするために、追加のコンポーネントによって再構成および／または補完されてよく、当業者が理解するように、与えられた図に記載された正確な構成には限定されない。
【００１７】
更に、ここには加入者ステーションに関連して種々の側面が記載される。加入者ステーションはまた、システム、加入者ユニット、モバイルステーション、モバイル、遠隔ステーション、アクセスポイント、遠隔端末、アクセス端末、ユーザ端末、ユーザエージェント、ユーザ装置またはユーザ器具とも呼ばれることができる。加入者ステーションは、携帯電話、コードレス電話、セッション開始プロトコル（ＳＩＰ）電話、無線ローカルループ（ＷＬＬ）ステーション、パーソナルデジタルアシスタント（ＰＤＡ）、無線接続能力をもった手持ち型装置、または無線モデムに接続された他の処理装置であってよい。
【００１８】
更に、ここに記載された種々の側面または特徴は、標準のプログラミング技術および／またはエンジニアリング技術を使用して、方法、装置、または工業的に製造された製品として実施されてよい。ここでいう「工業的に製造された製品」とは、何れかのコンピュータ読み取り可能な装置、キャリアまたは媒体からアクセス可能なコンピュータプログラムを包含する。例えば、コンピュータ読み取り可能な媒体は、時期保存装置（例えば、ハードディスク、フロッピー（登録商標）ディスク、磁気ストリップ）、光ディスク（例えばコンパクトディスク（ＣＤ）、デジタル汎用ディスク（ＤＶＤ）…）、スマートカード、およびフラッシュメモリー装置（例えばカード、スティック、キードライブ）を含むことができるが、これらに限定されない。加えて、ここに記載する種々の保存媒体は、情報を保存するための１以上の装置および／または他の機械読み取り可能な媒体を表すことができる。「機械読み取り可能な媒体」の用語は、命令および／またはデータを保存、包含および／または搬送できる無線チャンネルおよび種々の他の媒体を含むことができるが、これらに限定されない。「例示的」の語は、ここでは「例、実例または例示として働く」ことを意味するために使用される。ここに「例示的」として記載される何れかの側面または設計は、必ずしも、他の側面または設計に対して好ましい、または有利であると解釈されるべきものではない。
【００１９】
図１は、種々の側面に従った、アドホックな、またはランダムな無線通信環境またはシステムの説明図である。システム１００は、相互に、および／または１以上のアクセス端末１０４との間で無線通信信号を受信、送信、反復等を行う１以上のセクターにおいて、１以上のアクセスポイント１０２を含んでおり、これらは固定式、モバイル式、無線式、Ｗｉ−Ｆｉ等を含んでいてよい。各アクセスポイント１０２は、送信機鎖および受信機鎖を含んでよく、その各々は、当業者が理解するように、信号の送信および受信に関連した複数のコンポーネント（例えばプロセッサ、変調器、マルチプレクサ、復調器、脱マルチプレクサ、アンテナ等）を含んでいる。アクセス端末１０４は、例えば、携帯電話、スマート電話、ラップトップ、パーソナルコンピュータ、手持ち型通信装置、手持ち型計算装置、サテライトラジオ、全地球測位システム、パーソナルデジタルアシスタント（ＰＤＡ）、無線モデムカード、および／または無線ネットワーク１００上で通信するための何れか他の適切な装置が含まれてよい。システム１００は、以下の図に関して述べるように、無線通信環境において適応可能なリソースの再使用を提供することを容易にするために、ここで記載した種々の側面と共に用いることができる。
【００２０】
アクセス端末１０４は、典型的にはシステム１９００の全体に亘って分散され、各端末１０４は固定式であっても可搬式であってもよい。各端末１０４は、何れか与えられた瞬間において、ダウンリンクおよびアップリンク上でゼロ、１または複数のアクセスポイントと通信してよい。ダウンリンク（または順方向リンク）は、アクセスポイント１０２から端末１０４への通信リンクを意味し、またアップリンク（または逆方向リンク）は、端末１０４からベースステーション１０２への通信リンクを意味する。
【００２１】
集中化されたアーキテクチャについては、システムコントローラ（図示せず）がアクセスポイント１０２に結合されてよく、またアクセスポイント１０２のための調整および制御を提供してよい。分布されたアーキテクチャについては、アクセスポイント１０２は、必要に応じて相互に通信してよい。順方向リンク上でのデータ送信は、順方向リンクおよび／または通信システムによってサポートされ得る最大のデータレートまたはその近傍で、一つのアクセスポイントから一つのアクセス端末へと生じる。順方向リンクの追加のチャンネル（例えば制御チャンネル）は、複数のアクセスポイントから一つのアクセス端末へと送信されてよい。逆方向リンクのデータ通信は、一つのアクセス端末から１以上のアクセスポイントへと生じてよい。
【００２２】
図２および図３は、多重ホップのアドホックなネットワーク２００およびデータ送信スキーム３００を示しており、ここでのデータは主に、１以上の側面に従って、インターネットまたはローカルネットワークに接続されたアクセスポイントの間、およびノードの残部の間で流れる。ホップとは、送信者と受信者との間、または図１のノード１および２のような動作的に結合される二つのノード間の、特定のセグメントまたは通信経路の脚部を意味する。図２および図３は、ノードおよび対応する送信時間スロットに「色」を付与することに関して説明されるが、如何なる適切でユニークおよび／または区別可能な指定（識別子または指標とも呼ばれる）が利用されてもよい。例えば、前後のノードおよび／または時間スロットを相互識別するために、整数値、二進値、名称等が利用されてよい。図に従えば、各ノードは、赤および青のような二つの色のうちの一つで着色される。図２および図３の例示の目的にとって、「赤」の領域はハッシュが存在しないことにより示され、「青」は右向きのハッシュを用いて描かれている。従って、図２におけるノード１は、ノード４，５および６と同様に赤ノードであるのに対して、ノード２および３は青ノードとして示されている（例えば、右向きのハッシュによって）。図３に示すように、赤ノード（例えば、図２におけるノード１，４，５、および／または６）は赤スロットの間でのみ送信されてよいのに対して、青ノード（たとえば図２におけるノード２および／または３）は、図３に示すように青スロットの間だけ送信してよい。
【００２３】
有線のアクセスポイント（例えば、ノード１）は、例えば赤のような任意の色を選択する。このような選択は、有線のアクセスポイントにより、開示された技術に基づいてランダムに、確率的に、または他の基準に基づいて行われることができる。有線のアクセスポイントから１ホップにある全てのノード（例えばノード２および３）は、反対の色である青を選択してよい。２ホップだけ離間した全てのノード（例えばノード４，５、および６）は赤を選択してよい、等々である。一般に、各ノードはその親ノードの反対の色を選択し、ここでの親ノードは、有線のアクセスポイントへ戻るルーティング経路上における最初のノードである。これは、何れか所定のノードについて、１ホップである全てのノードは反対色を選択するようなトポロジーを形成する。従って、ノードは同時に送信および受信する必要はない。
【００２４】
関連の側面に従えば、ノードを区別するために３以上の色を利用してもよい。例えば、子ノードの色は、除算の法（modulo）の関係において、親ノードからの次の順番の色であってよい。加えて、モバイルノードには第三の色が付与され、これは帰路からのアクセスを分離する。更に、制御チャンネルセグメントは、データ送信から分離されてよく、制御チャンネルのみが「着色される」ことを必要とする。
【００２５】
有線のアクセスポイントの色、およびルーティング経路の選択は、個々のノードの色を決定するために使用することができ、これは同時送信からの干渉を管理するために選択することができる。例えば、一方が送信し他方が受信するときに二つのノードが相互に干渉すれば、それらの色は、それらが同じ色であるか、またはそれらが接続されるように、親ノードの選択または有線のアクセスポイント色の選択を介して選択することができる。これに加えて、またはその代わりに、各色は更に二つ以上の副色に分割されてよい。ノードが活性で優勢な干渉を検出すれば、それは優勢な干渉ノードに指示を送り、これは副色上（例えば、当該副色を有する時間スロット）でのみ送信するように該ノードを制限する。例えば、青の副色は、偶数の青スロット、または奇数の青スロット、または全ての第四の青スロットなどに対応する可能性がある。更に、所定の時間の間に優勢な干渉が検出されなければ、または所定の時間内に後続の指示が受信されなければ、副色上のノードは完全色、またはより少ない限定された副色へと戻される。このようにして、種々の記載された側面は、競合期間（contention period）を伴わない送信を計画すること、および同時送信および受信の必要性を緩和することを容易にする。
【００２６】
図４〜図６を参照すると、無線メッシュネットワークにおいて、送信時間および受信時間を調整することに関する方法が示されている。例えば、当該方法は、ＦＤＭＡ環境、ＯＦＤＭＡ環境、ＣＤＭＡ環境、ＷＣＤＭＡ環境、ＴＤＭＡ環境、ＳＤＭＡ環境、または他の何れか適切な無線環境での、無線メッシュネットワークにおけるデータ通信時間スロットに関するものであることができる。説明を単純化する目的で、当該方法は一連の動作として示され且つ説明されるが、幾つかの動作は、１以上の側面に従って、ここに示し且つ記載する他の動作とは異なる順序で、および／または同時に生じるので、当該方法は動作の順序によって制限されないことが理解および認識されるべきである。例えば、当業者は、一つの方法が、状態図におけるような、代替的に一連の相互に関連した状態または事象として表現され得るであろうことを理解および認識するであろう。更に、１以上の側面に従って方法を実施するためには、示された動作の全てが必要とされる訳ではない。
【００２７】
図４は、１以上の側面に従い、メッシュネットワークにおいて送信時間および受信時間を調整するための方法４００を示している。４０２において、標識は、ネットワークの領域におけるノードによって選択されてよい。例えば、第一のノードは無線アクセスポイント、または有線のアクセスポイント等であってよく、また標識値を選択してよい。一例に従えば、ルーティングトポロジーにおけるノードを識別するために二つの標識が使用される場合に、第一の標識は第一のノードによって選択されてよく、また該トポロジーにおける子ノード（例えばアクセス端末、もう一つのアクセス点…）は、第二の標識を選択していてよい。相互に２ホップだけ離れているノードは、２標識の例に従って、同じ標識値を選択してよい。例えば、親ノードの孫ノードは、親ノードと同じ標識値を有してよい。
【００２８】
４０４において、ノードは、それらの各々の標識値に対応する時間スロットの間に、信号を送信または受信してよい。例えば、第一の標識を有するノードは、第一の標識を備えたノードのために確保された時間スロットの間に送信／受信してよいのに対して、第二の指標を備えたノードは、第二の指標値を備えたノードのために確保された時間スロットの間に送信／受信してよい。より大きな干渉ダイバーシティーが望ましければ、より多くの指標値を用いればよい。
【００２９】
図５は、１以上の側面に従って、アクセスノードにおける識別子を選択し、それぞれの識別子に関連した時間スロットの間に、該ノードにデータを通信（例えば送信および受信）させることによるデータ通信方法５００の説明図である。アクセスノードは有線のアクセスポイント、無線アクセスポイント、アクセス端末、またはもう一つの通信装置であってよい。５０２においては、アクセスノードが用いられる通信ネットワークが評価され、環境内において、１以上のノード（例えば有線のアクセスポイント、無線アクセスポイント、アクセス端末等）が検出される。このような検出は、電源投入時、または種々の間隔で、アクセスノードがネットワークに入るときに生じることができる。５０４においては、１以上のノードの組からノードが選ばれる。ノードを選ぶことは、５０２において検出された各ノードに付随する識別子を認識または決定すること、およびその決定された識別子に基づいてノードを選ぶことを含んでよい。こうして、該選択は、リンクおよび他のデータの品質に基づくのではなく、異なる識別子を有することに基づいてよい。
【００３０】
５０６において、識別子は、二以上の識別子を含む一つの組から選択される。該選択された識別子は、選ばれたノードの識別子とは異なってよい。この二以上の識別子には、選ばれたノードの識別子および選択された識別子が含まれてよい。幾つかの側面に従えば、この選択は、アクセスノードの送信電力、該アクセスノードに関連したサービスの品質、または該送信電力およびサービス品質の両方に基づくことができる。例えば、ノードが音声呼出しのために利用されるのであれば、該選択は、該音声呼出しがドロップアウトする機会が小さくなるように、最も信頼性のあるリンクに基づくことができるであろう。当該ノードがウエッブサーフィンのために使用されるのであれば、この選択は、最も信頼性の或るリンク以外の基準、例えば、最も高いスループットを達成できるリンクに基づくことができるであろう。その代りに、またはそれに加えて、この選択は通信ネットワーク内で検出される干渉の量、各時間スロットの間に生じるトラヒックまたは通信の量、および該時間スロットの間に通信できるノードの数等々に基づくことができる。
【００３１】
例えば、この選択は、アクセスポイントの送信電力がアクセス端末の送信電力よりも強い可能性があり得ることを考慮に入れてよい。従って、アクセスポイントに関連した第一の識別子とアクセス端末に関連した第二の識別子との間の選択を仮定すれば、アクセス端末は、アクセスポイントと同じ時間スロットの間に送信しなければならないことがないように、第二の識別子を選択し得るであろう。もう一つの例において、アクセスノードが強い送信電力を有していれば、より弱い送信電力を有するノードよりも大きな干渉に耐えることができるであろう。従って、該アクセスノードは、識別子を選択するときに、それが他のノードに対して生じるであろう干渉の量を考慮しなくてもよいかもしれない。
【００３２】
その代りに、またはそれに加えて、二以上の識別子の組は、アクセス端末によってのみ選択されるべき第一の識別子、およびアクセス端末またはアクセスポイントの何れかによって選択されるべき第二の識別子を含んでよい。従って、アクセス端末は二つの識別子の何れかを選択することができるのに対して、アクセスポイントは一つの選択しか持たない。この組はまた、アクセスポイントによってのみ選択されるべき第三の識別子を含んでよく、従ってアクセスポイントに二つの選択を提供してよい。従って、この選択はノードの種類（例えばアクセスポイント、アクセス端末）に基づいてよい。
【００３３】
５０８において、データは選択された識別子、選ばれたノードの識別子、または選択された識別子および選ばれたノードの識別子の両方に基づいて処理（例えば送信、受信）される。例えば、データは、アクセスノードにより選択された指標または識別子に対応する時間スロットの間に通信される。例えば、Ｎ個の指標を通して（所望であれば）、第一の指標を付与されたノードは、第一の指標に関連した時間スロットの間に送信／受信されてよく、第二の指標を付与されたノードは、第二の指標に関連した時間スロットの間に送信／受信してよい等々であり、ここでのＮは整数である。
【００３４】
幾つかの側面に従えば、指標は１以上の因子、例えば近接するノードからの地理学的距離、有線のアクセスノード、アクセスポイントまたは第一の親ノード（例えば、これはアクセスポイント、アクセス端末、リピータステーションなどであってよい）からの地理学的距離等の関数として選択されてよい。その代りに、またはそれに加えて、特定の指標の選択は、送信電力および近位ノードへの距離の関数であってよい（例えば、指標が付与されるノードは１以上の近位ノードにおいて感傷を生じる可能性がある）。
【００３５】
図６は、ここに記載する１以上の側面に従って、時間分割二重化多重ホップメッシュネットワークにおけるノードのための、送信および受信のスケジュールを制御するための方法６００を示している。６０２において、通信環境内の１以上のノードが、アクセスノードによって認識または検出される。このような認識は、アクセスノードが通信環境に導入されるとき、他のアクセスノードが該環境に導入されるとき、或いはその他のときに生じることができる。例えば、五つのノードが認識され、そのうちの三つは第一の色を有し、一つは第二の色を有し、また一つは第三の色を有する。ここでは「色」は識別子として使用されるが、当業者は、如何なる適切な識別子（例えば、数時、文字、周波数、２進値、および正／負の指定子等）が利用されてもよいことを理解するであろう。
【００３６】
６０４において、それに関連した識別子を有するノードは、検出された組から選択される。この選ばれたノードは、アクセスポイント（有線または無線）、アクセス端末、または他の通信装置であることができる。該ノードは、識別子、ノードの送信電力、アクセスノードの送信電力等を含む種々の基準に基づいて選択することができる。各検出されたノードに関連したチャンネル条件は、６０６において決定または評価されてよい。例えば、メッシュネットワークヘの導入に際して、三つのノードが検出される。アクセスノードとこれら三つのノードとの間の各リンクについてチャンネル条件が決定され、最良のチャンネル条件を有するリンクが選択される。その代りに、またはそれに加えて、各検出されたノードに関連する干渉に基づいて決定が行われてよい。この干渉の決定は、検出されたノードの識別子に基づいてよい。たとえば、五つのノードが検出され、ここでの三つのノードは青色に関連し、一つは赤色に関連し、一つは緑色に関連する。青の時間スロットの間に送信する少なくとも三つの他のノードが存在するので、青色は選択されなくてもよい。従って、如何に多くのノードが共通の色または他の識別子を有するかに基づいて、決定が行われてよい。
【００３７】
６０８においては、二以上の識別子の組から識別子が選択される。この組は、選ばれたノードの識別子および選択された識別子を含むことができる。その代りに、またはそれに加えて、選択は、チャンネル条件の決定に基づいて、干渉の決定に基づいて、またはチャンネル条件決定および干渉決定の両方に基づいて行われることができる。例えば、赤および緑のノードがアクセスノードに隣接していれば、この選択は、これら色の選択に基づいて行われてよい。
【００３８】
アクセスノードが有線アクセスポイントであれば、それは、少なくとも二つの識別子の組からランダムに識別子を選択することができる。それに加えて、またはその代りに、該有線アクセスポイントは、確率基準に基づいて、または他の基準に基づいて選択を行うことができる。しかし、アクセスノードが有線アクセスポイントでないならば、それは同じ識別子を割り当てられる１ホップの距離をもったノードの発生を緩和するために、ランダムに選択されるべきではない。
【００３９】
例えば、アクセスポイントがランダムに、さもなければ色赤を選択するならば、アクセスポイントから１ホップだけ離れたノードは色青を選択してよい。残りのノードは、隣接するノードが同じ色を与えられないように色を選択してよい。上記の例に従えば、アクセスポイントノードから２ホップだけ離れたノードは赤色を選択するのに対して、３ホップ離れたノードは青を選択してよい。この例において、アクセスポイントから奇数ホップのノードは第二の色を選択してよいのに対して、該アクセスポイントから偶数ホップのノードは、該アクセスポイントの色を選択してよい。このようにして、二つの隣接するノードが同じ色を有することはないであろう。
【００４０】
６１０において、ノードは、それぞれの色を付与された時間スロットの間にデータを処理（例えば受信または送信）してよい。即ち、データを送信または受信することは、選択された識別子、選ばれたノードの識別子、またはその両者に基づいてよい。データの受領は、選択された識別子に関連する時間スロットの間にデータを受信することを含むことができ、またデータの送信は、選ばれたノードの識別子に関連する時間スロットの間にデータを送信することを含むことができる。送信されたデータおよび／または受信されたデータは、制御データ、ペイロードデータ、または他のデータであることができる。従って、識別子は、制御チャンネル上の制御データ、または他のデータ（例えば音声データ、ペイロードデータ等）を送信／受信するために使用することができる。
【００４１】
例えば、青ノードは青の時間スロットの間に送信してよく、また赤ノードは赤の時間スロットの間に送信してよい。ここでの異なる色の時間スロットは時間が異なっており、重ならない。対応する色の時間スロットの間でのみ送信を許容することによって、隣接するノードは同時には送信せず、従ってそれらの間での干渉を緩和する。こうして、方法６００は、ＴＤＤ多重ホップメッシュネットワークにおけるノードのための送信時間および受信時間を制御することを容易にする。
【００４２】
図７は、１以上の側面に従い、メッシュネットワークにおいて送信および受信時間スロットを選択および制御することを容易にするアクセス端末７００の説明図である。アクセス端末７００は受信機７０２を含んでおり、該受信機は、例えば受信アンテンア（図示せず）からの信号を受信し、該受信された信号に対して典型的な動作（例えばフィルタ、増幅、ダウンコンバート等）を行い、この調節された信号をデジタル化してサンプルを得る。受信機７０２は、復調器７０４と動作的に関連することができ、該復調器は受信された信号を復調し、それをチャンネル推定のためにプロセッサに提供する。プロセッサ７０６は、受信機７０２によって受信された情報を分析し、および／または送信機７０８による送信のために情報を発生させるための専用のプロセッサ、アクセス端末７００の１以上のコンポーネンツを制御するプロセッサ、および／または受信機７０２によって受信された情報を分析し、送信機７０８による送信のための情報を発生し、且つアクセス端末７００の１以上のコンポーネントを制御するプロセッサであってよい。加えて、プロセッサ７０６は、送信のために、指標を近位ノード等に関連した指標の関数として選択するために、何れの時間スロットが利用され得るかを決定するように指標割当てを検出し、また時間スロット指標に割当てられた指標（例えば色、数、ビット値）を比較するための命令を実行してよい。
【００４３】
アクセス端末７００は、プロセッサ７０６に動作的に結合されるメモリー７１０を含むことができ、該メモリーは送信されるべきデータ、および受信されたデータ等を保存してよい。メモリー７１０は、指標割当て、指標選択、他の近位もしくは隣接ノードに関連した指標等に関する情報を保存してよい。例えば、最も近いＮ個のノード（Ｎは整数）に割当てられた指標は、アクセス端末７００が、それ自身および隣接ノードの間の干渉を最小化するそれ自身のための指標（例えば近接するノードの指標とは異なるもの）の選択を行うことを可能にするために、セクターまたはセルへの導入時、ウエイクアップ時等に、分析のために保存されてよい。
【００４４】
ここに記載したデータ保存（例えばメモリー７１０）は、揮発性メモリーまたは不揮発性メモリーであることができ、或いは、揮発性および不揮発性メモリーの両方を含むことができる。限定のためではなく説明のために言えば、不揮発性メモリーは、読取り専用メモリー（ＲＯＭ）、プログラマブルＲＯＭ（ＰＲＯＭ）、電気的なプログラマブルＲＯＭ（ＥＰＲＯＭ）、電気的に消去可能なＰＲＯＭ（ＥＥＰＲＯＭ）、またはフラッシュメモリーを含むことができる。不揮発性メモリーは、外部キャッシュメモリーとして働くランダムアクセスメモリー（ＲＡＭ）を含むことができる。限定ではなく説明のために言えば、ＲＡＭは、同期式ＲＡＭ（ＳＲＡＭ）、ダイナミックＲＡＭ（ＤＲＡＭ）、同期式ＤＲＡＭ（ＳＤＲＡＭ）、二倍データレートＳＤＲＡＭ（ＤＤＲ・ＳＤＲＡＭ）、エンハンストＳＤＲＡＭ（ＥＳＤＲＡＭ）、シンクリンクＤＲＡＭ（ＳＬＤＲＡＭ）、および直接ランバスＲＡＭ（ＤＲＲＡＭ）のような多くの形態で入手可能である。主題のシステムおよび方法のメモリー７１０は、限定されるものではないが、これらおよび他の適切なタイプのメモリーを含むことを意図するものである。
【００４５】
受信機７０２は更に、検出モジュール７１２に動作的に結合され、該モジュールは通信ネットワーク内の１以上のノードを検出するように構成されてよい。このような検出は、例えば、アクセス端末７００がネットワークに導入されるときに生じることができる。選ぶモジュール７１４は、受信機７０２および／または検出モジュール７１２に動作的に結合することができる。選ぶモジュール７１４は、１以上の検出されたノードから一つのノードを選ぶように構成されてよい。一つの識別子が、該選ばれたノードに付随することができ、該識別子は、選ばれたノードがデータを送信および／または受信する対応する時間スロットを示す。
【００４６】
選択モジュール７１６はプロセッサに動作的に結合されてよく、少なくとも二つの識別子の組から一つの識別子を選別するように構成されることができる。プロセッサ７０６は更に、１以上の選択された識別子および選ばれたノードの識別子に基づいて、データを処理するように構成されることができる。それに加えて、またはその代りに、検出モジュール７１２は、プロセッサ７０６が近位にあるノードの指標を評価し、その関数としてアクセス端末７００のための指標を選択することを可能にするために、他のノードの標識割当てを検出してよい。例えば、プロセッサ７０６は、近隣または近接するノードによって付与または選択された指標とは異なる指標を選択してよい。次いで、選択または付与された指標に関連する時間スロットの間に、送信機７０８が送信（および受信機７０２が受信）してよい。選択または付与された指標は、近接するノードの指標とは異なるから、アクセス得端末７００は、近接するノードが送信／受信するときの時間スロットとは異なる時間スロットで送信／受信することが許され、それによって、アクセス端末７００と近接するノードとの間の干渉を緩和する。
【００４７】
アクセス端末７００は、更に、モジュレータ７１８、並びに信号を例えばベースステーション、アクセスポイント、もう一つのアクセス端末、遠隔エージェント等に送信する送信機７０８を含んでいる。プロセッサ７０６から離間しているように描かれているが、１以上の検出モジュール７１２、選ぶモジュール７１４、および選択モジュール７１６は、プロセッサ７０６または多くのプロセッサ（図示せず）の一部であってよい。
【００４８】
図８は、１以上の側面に従い、何れのノードが何れの時間スロットの間に送信／受信してよいかを特定する標識を使用して、送信および受信の時間スロット制御の提供を容易にするシステム８００の説明図である。システム８００は、１以上のアクセス端末８０４から複数の受信アンテナ８０６を介して信号を受信する受信機８１０、および送信アンテナ８０８を介して１以上のアクセス端末８０４へと送信する送信機８２２を備えた、アクセスポイント８０２を含んでいる。受信機８１０は、受信アンテナ８０６から情報を受信することができ、また受信した情報を復調する復調器８１２と動作的に関連している。復調されたシンボルはプロセッサ８１４によって解析されるが、該プロセッサは、図７に関して上記で説明したプロセッサに類似してよく、またアクセスポイントおよび／または近接するノードの標識割当て、標識選択プロトコル、選択または付与された標識に関連した時間スロット上での送信／受信のための送信／受信プロトコルに関連した情報、および／またはここに記載した種々の動作および機能を実行することに関連した情報を保存するメモリー８１６２結合される。
【００４９】
プロセッサ８１４は更に、検出モジュール８１８、選択モジュール８２４、および選別モジュール８２６に結合され、これらは一緒になって、アクセスポイント８０２に関連した指標を選択することを容易にする。プロセッサ８１４は、プロセッサ７０６に関して上記で述べたのと同様の命令を実行してよい。例えば、選別モジュール８２６は、アクセスポイントへの指標の割当て（例えば色、数、文字、ビット値）を選択してよく、プロセッサ８１４は、割当てられた指標に関連した時間スロットの間でのみ、送信機８２２が送信するように（および受信機８１０が受信するように）指令してよい。もう一つの側面に従えば、検出モジュール８１４は、アクセスポイント８０２に近接した他のノード（例えばアクセス端末、アクセスポイント、リピータ…）に関連した指標を検出してよく、またプロセッサ８１４は、送信機８２２がそれらの指標を介して近接したノードのために確保される時間スロットの間に、送信機８２２が送信しないこと（および受信器８１０が受信しないこと）を保証するために、検出された指標とは異なる指標を選択してよい。プロセッサ８１４とは別々のものとして説明したが、検出モジュール８１８、選択モジュール８２４、選別モジュール８２６は、プロセッサ８１４または多くのプロセッサ（図示せず）の一部であってもよい。
【００５０】
図９は、例示的な無線通信システム９００を示している。この無線通信システム９００は、簡潔にするために、一つのアクセスポイントおよび一つの端末を示している。しかし、該システムは二以上のアクセスポイントおよび／または二以上の端末を含むことができ、ここでの追加のアクセスポイントおよび／または端末は、以下に記載する例示的なアクセスポイントおよび端末について実質的に同じであるか、または異なることができる。加えて、アクセスポイントおよび／または端末は、それらの間の無線通信を容易にするために、ここに記載した方法（図４〜図６）および／またはシステム（図１〜図３、図７、図８および図１０）を用い得ることが理解されるべきである。
【００５１】
次に、図９を参照すると、ダウンリンク上のアクセスポイント９０５において、送信（ＴＸ）データプロセッサ９１０は、トラヒックデータを受信し、フォーマットし、コード化し、インターリーブし、変調（またはシンボルマップ）して、変調シンボル（「データシンボル」）を提供する。シンボル変調器９１５は、データシンボルおよびパイロットシンボルを受信および処理して、シンボルのストリームを提供する。シンボル変調器９２０は、データおよびパイロットシンボルを多重化して、それらを送信機ユニット（ＴＭＴＲ）９２０に与える。各送信されるシンボルは、データシンボル、パイロットシンボル、またはゼロの信号値であってよい。パイロットシンボルは、各シンボル周期において連続的に送られてよい。このパイロットシンボルは、周波数分割多重化（ＦＤＭ）、直交周波数分割多重化（ＯＦＤＭ）、時間分割多重化（ＴＤＭ）、周波数分割多重化（ＦＤＭ）、またはコード分割多重化（ＣＤＭ）されることができる。
【００５２】
ＴＭＴＲ９２０は、シンボルのストリームを受信し、１以上のアナログ信号へと変換し、更に該アナログ信号を調整（例えば増幅、フィルタ、および周波数右アップコンバート）して、無線チャンネルによる送信のために適したダウンリンク信号を発生する。次いで、該ダウンリンク信号はアンテナ９２５を通して端末へと送信される。端末９３０においては、アンテナ９３５がダウンリンク信号を受信し、受信された信号を受信機ユニット（ＲＣＶＲ）９４０に提供する。受信機ユニット９４０は、受信された信号を調整（例えばフィルタ、増幅、および周波数ダウンコンバート）し、該調整された信号をデジタル化してサンプルを得る。シンボル復調器９４５は更に、プロセッサ９５０からダウンリンクのための周波数応答推定値を受信し、受信されたデータシンボルに対してデータ復調を行って、データシンボル推定値（これは送信されたデータシンボルの推定値である）を得、該データシンボル推定値をＲＸデータプロセッサ９５５に提供し、該プロセッサはこのシンボル推定値の復調（即ちシンボルの脱マッピング）を行い、脱インターリーブし、デコード化して、送信されたトラヒックデータを回復させる。アクセスポイント９０５において、シンボル復調器９４５およびＲＸデータプロセッサ９５５による処理は、シンボル変調器９１５およびＴＸデータプロセッサ９１０による処理に対してそれぞれ相補的である。
【００５３】
アップリンク上において、ＴＸデータプロセッサ９６０はトラヒックデータを処理し、データシンボルを提供する。シンボル変調器９６５は、パイロットシンボルと共にデータシンボルを受信および多重化し、シンボルのストリームを提供する。次いで、送信機ユニット９７０がシンボルのストリームを受信および処理して、アップリンク信号を発生させ、これはアンテナ９３８によってアクセスポイント９０５に送信される。
【００５４】
アクセスポイント９０５において、端末９３０からのアップリンク信号はアンテナ９２５によって受信され、受信機ユニット９７５により処理されてサンプルが得られる。次いで、シンボル復調器９８０が該サンプルを処理し、アップリンクのための、受信されたパイロットシンボルおよびデータシンボル推定値を与える。ＲＸデータプロセッサ９８５は、このデータシンボル推定値を処理して、端末９３０によって送信されたトラヒックデータを回復する。プロセッサ９９０は、アップリンク上で送信している各々の活性な端末についてチャンネル推定を行う。複数の端末が、それらのそれぞれの割当てられたパイロット副帯域の組についてのアップリンク上で同時にパイロットを送信してよく、ここでのパイロット副帯域組はインターレースされてよい。
【００５５】
プロセッサ９９０および９５０は、アクセスポイント９０５および端末９３０における動作をそれぞれ指令（例えば制御、調整、管理など）する。それぞれのプロセッサ９９０および９５０は、プログラムコードおよびデータを保存するメモリーユニット（図示せず）と関連付けることができる。プロセッサ９９０および９５０はまた、それぞれアップリンクおよびダウンリンクについての周波数およびインパルス応答推定値を誘導するために、計算を行うことができる。
【００５６】
多重アクセスシステム（例えばＦＤＭＡ、ＯＦＤＭＡ、ＣＤＭＡ、ＴＤＭＡ等）については、複数の端末がアップリンク上で同時に送信することができる。このようなシステムについては、パイロット副帯域が異なる端末の間で共有されてよい。各端末についてのパイロット副帯域が全体の動作帯域（可能であれば帯域エッジを除く）に広がる場合には、チャンネル推定技術が使用されてよい。このようなパイロット副帯域構造は、各端末についての周波数ダイバーシティーを得るために望ましいものであり得る。ここに記載する技術は、種々の手段によって実施されてよい。例えば、これらの技術はハードウエア、ソフトウエア、またはそれらの組合せにおいて実施されてよい。ハードウエア実施については、チャンネル推定のために使用される処理ユニットが、１以上のアプリケーション特異的集積回路（ＡＳＩＣ）、デジタル信号プロセッサ（ＤＳＰ）デジタル信号処理装置（ＤＳＰＤ）、プログラマブル論理装置（ＰＬＤ）、フィールドプログラマブルゲートアレイ（ＦＰＧＡ）プロセッサ、コントローラ、マイクロコントローラ、マイクロプロセッサ、ここに記載した機能を実行するように設計された他の電子ユニット、またはそれらの組合せの中に実装されてよい。ソフトウエアについては、実施は、ここに記載した機能を実行するモジュール（例えば手順、関数など）を介して行うことができる。
【００５７】
ソフトウエア実施のために、当該技術は、ここに記載された機能を実施するモジュール（例えば手順、関数など）を用いて実施されてよい。ソフトウエアコードはメモリーユニットに保存されて、プロセッサにより実行されてよい。該メモリーユニットは、該プロセッサ内または該プロセッサの外に実装されてよく、この場合、それは当該技術において知られた種々の手段を介して、通信可能にプロセッサに結合することができる。
【００５８】
図１０は、１以上の側面に従って、時間分割二重化多重ホップメッシュネットワークにおけるノードについて、送信および受信スケジュールの制御を容易にする装置１０００の説明図である。装置１０００は、ノード組またはノード群についての送信および受信スケジュールの制御を容易にするモジュール１００２を含んでいる。該ノードの組は、当該環境内で装置１０００が用いられる無線通信環境内にある１以上のノードを含んでよい。
【００５９】
ノード組１００２を検出するためのモジュールは、検出された組１００４からノードを選ぶためのモジュールに動作的に結合される。識別子は、選ばれたノードに関連付けられてよく、所定のノードが送信および／または受信してよい時間スロットを示してよい。識別子は、色、数字値、ビット値等を含んでよい。検出された組１００４からノードを選ぶためのモジュールは、各検出されたノードに関連付けられた識別子を決定することによって、また該決定された識別子に基づいてノードを選ぶことによって、当該ノードを選択してよい。こうして、当該ノードは通信リンクの品質、送信レートなどのような他の因子を考慮することなく、識別子のみに基づいて選択されてよい。この選択されたモードは、有線アクセスポイント、無線アクセスポイント、またはアクセス端末であってよい。
【００６０】
検出された組からノードを選ぶためのモジュール１００４に動作的に結合されるのは、識別子を選択するためのモジュール１００６である。識別子は、二以上の識別子を含む組から選択されてよく、これは選ばれたノードの識別子および選択された識別子を含んでよい。もう一つの側面に従えば、この識別子の組は、アクセス端末によってのみ選択される第一の識別子、およびアクセス端末またはアクセスポイントによって選択されるべき第二の識別子を含んでよい。第三の識別子もまた、アクセスポイントによってのみ選択されるべき組の中に含められてよい。このように、アクセス端末は、それが選択することができる二つの識別子を含んでよく、またアクセス端末は、それが選択できる一つまたは二つの識別子を有してよい。ノードを相互に識別するために、何れか適切な識別子（色、数字、文字、周波数…）を利用してよいことが理解されるであろう。装置１０００が優先アクセスポイントの中に実装されるならば、識別子１００６を選択するためのモジュールは、当該組からランダムに識別子を選択してよく、または幾つかの他の選択技術に基づいて選択してよい。
【００６１】
一つの側面に従えば、識別子１００６を選択するためのモジュールは、選ばれたノードに付随する識別子とは異なる識別子を選択してよい。この選択は、当該装置の送信電力に基づいてよく、当該装置に付随するサービスの品質に基づいてよく、または前記送信電力およびサービス品質の両方に基づいてよい。更に、識別子は、複数のノード（例えばネットワークコントローラ等において用いられるとき）によって選択されてよく、ここでのノードは、近接するノード（例えば、トポグラフィー的、地理学的に相互に隣接するノード）が異なる識別子を選択するように、識別子を選択する。例えば、第一のノード赤色を選択すれば、該第一のノードから１ホップだけ離れたノードは青色を選択してよい。識別子は、それらの隣接ノードが異なる指標を選択する限り、残りのノードによって選択されてよい。上記の例に従えば、第一のノードから２ホップだけ離れているノードは赤色を選択してよいのに対して、３ホップだけ離れているノードは青を選択してよい。この例において、第一のノードから奇数ホップにあるノードは第二の色を選択してよいのに対して、第一のノードから偶数ホップにあるノードは、第一のノードの色を選択してよい。このようにして、二つの隣接するノードは同じ色、指標または識別子を選択しない。
【００６２】
関連の側面に従えば、識別子を選択するためのモジュール１００６は、優先アクセスポイント、無線アクセスポイント、アクセス端末などのようなノードにあってよい。識別子を選択するためのモジュール１００６は、当該ノードへの識別子を選択してよく、ここでは、それは選択された識別子が、装置１０００が用いられるノードに近接したノードに付与された識別子とは異なるように用いられる。例えば、現在のノードから１ホップ離れたノードが赤の指標または識別子を示すならば、現在のノードは、それが赤のノードと同時には送信せず、それによって現在のノードによって生じ、および／または経験する干渉を緩和することを保証するように、青の指標を選択してよい。
【００６３】
識別子を選択するためのモジュール１００６は、データを処理するためのモジュール１００８に動作的に結合されてよい。このようなデータは、選択された識別子、選ばれたノードの識別子、または選択された識別子および選ばれたノードの識別子の両方に基づいて処理されてよい。データを処理するためのモジュール１００８は、選択された識別子、選ばれたモードの識別子、またはその両方に基づいてデータを送信または受信することにより、該データを処理してよい。データ送信またはデータ受信は、選ばれたノードに関連付けられてよく、また制御データもしくはペイロードデータ（例えば音声データ）であってよい。該データは、対応する時間スロット上で受信または送信されてよく、これは、あるノードがそれぞれの識別子に関連した時間スロットの間に送信または受信することを可能にする。例えば、識別子として色が使用される実施例に従えば、青のノードは青の時間スロットの間に送信／受信してよく、また赤のノードは赤の時間スロットの間に送信／受信してよく、ここでの異なる色の時間スロットは、図２および図３に示したように異なる時間であり、且つ重ならない。対応する色の時間スロットの間にのみ送信／受信を許容することによって、隣接するノードは、同じ時間に送信することはなく、従ってそれらの間の干渉を緩和する。こうして、装置１０００は、従来のシステムとは対照的に、ＴＤＤ多重ホップメッシュネットワークにおけるノードについて、送信および受信時間を制御することを容易にし、これは更に、所定のノードでの送信の際の受信連鎖状況の緩和を促進できる。
【００６４】
幾つかの側面に従えば、装置１０００はまた、各検出されたノード（図示せず）に関連したチャンネル状態を決定するための手段を含んでよい。このような決定は、各検出されたノードに関連した干渉を決定することによって行われてよい。この干渉決定は、検出されたノードの識別子に基づいてよい。このような側面において、識別子を選別するための手段は、チャンネル決定、干渉決定、またはチャンネル決定および干渉決定の両方に基づいて識別子を選別してよい。
【００６５】
上記での説明には、１以上の側面の実施例が含まれている。勿論、上記側面を記述する目的で、コンポーネントまたは方法の考え得る全ての組合せを記述することは不可能であるが、当業者は、種々の側面の更なる組合せおよび変更が可能であることを理解するであろう。従って、記載された側面は、添付の特許請求の範囲の精神および範囲内に入る斯かる全ての変更、修飾および変形を包含するものである。更に、詳細な説明または特許請求の範囲で「含む」の用語が使用される限り、このような用語は、請求項における遷移用語として用いられ「含んでなる」が解釈されるときの、「含んでなる」の用語と同様に包括的であることを意図している。
【図面の簡単な説明】
【００６６】
【図１】図１は、種々の側面に従うアドホックな、またはメッシュの無線通信環境を示す図である。
【図２】図２は、多重ホップのアドホックなネットワークおよびデータ送信スキームを示しており、ここでのデータは、１以上の側面に従って、主にインターネットまたはローカルネットワークに接続されたアクセスポイントと、残りのノードとの間で流れる。
【図３】図３は、多重ホップのアドホックなネットワークおよびデータ送信スキームを示しており、ここでのデータは、１以上の側面に従って、主にインターネットまたはローカルネットワークに接続されたアクセスポイントと、残りのノードとの間で流れる。
【図４】図４は、１以上の側面に従って、メッシュネットワークにおける干渉を緩和するために送信時間スロットを制御するための方法を示している。
【図５】図５は、１以上の側面に従って、アクセスノードにおける識別子を選択すること、およびそれぞれの識別子に関連した時間スロットの間に該ノードが通信できるようにすることによる、データ通信の方法を示している。
【図６】図６は、ここに記載した１以上の側面に従って、ノードのための送信および受信スケジュールを、時間分割二重化多重ホップメッシュネットワークで制御するための方法を示している。
【図７】図７は、１以上の側面に従って、メッシュネットワークにおける送信時間スロットの制御を容易にするアクセス端末を図示している。
【図８】図８は、１以上の側面に従って、何れの時間スロットの間に何れのノードが送信するかを特定する指標を使用して、送信時間スロット制御の提供を容易にするシステムの図である。
【図９】図９は、ここに記載した種々のシステムおよび方法に関連して用いることができる無線通信ネットワーク環境の図である。
【図１０】図１０は、１以上の側面に従って、時間分割二重化多重ホップメッシュネットワークにおいて、ノードのための送信および受信スケジュールの制御を容易にする装置の図を示している。
【図１】
2009516486.tif 000003
【図２】
2009516486.tif 000004
【図３】
2009516486.tif 000005
【図４】
2009516486.tif 000006
【図５】
2009516486.tif 000007
【図６】
2009516486.tif 000008
【図７】
2009516486.tif 000009
【図８】
2009516486.tif 000010
【図９】
2009516486.tif 000011
【図１０】
2009516486.tif 000012
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
アクセスノードによるデータ通信のための方法であって：
少なくとも一つのノードの組を検出することと；
該検出された組から一つのノードを選ぶことであって、ここでの選択されたノードは、それに関連した識別子を有していることと；
少なくとも二つの識別子の組から一つの識別子を選択することと；
該選択された識別子および前記選択されたノードの識別子の少なくとも一つに基づいてデータを処理することを含んでなり、
前記識別子の各々が、送信時間スロットまたは受信時間スロットを識別する方法。
【請求項２】
請求項１に記載の方法であって：前記選ぶことは、
各検出されたノードに関連した識別子を決定することを含んでなり；また
ここでの前記ノードは、少なくとも一つの決定された識別子に基づいて選ばれる方法。
【請求項３】
請求項１に記載の方法であって、前記選択された識別子が、前記選ばれたノードの識別子とは異なる方法。
【請求項４】
請求項１に記載の方法であって、前記少なくとも二つの識別子の組が、選ばれたノードの識別子および選択された識別子を含んでなる方法。
【請求項５】
請求項１に記載の方法であって、前記少なくとも二つの識別子の組が、アクセス端末によってのみ選択されるべき第一の識別子と、アクセス端末またはアクセスポイントの何れかによって選択されるべき第二の識別子を含んでなる方法。
【請求項６】
請求項１に記載の方法であって、前記選択が、前記アクセスノードの送信電力に基づく方法。
【請求項７】
請求項１に記載の方法であって、前記選択が、前記アクセスノードに関連するサービスの質に基づく方法。
【請求項８】
請求項１に記載の方法であって、前記処理が、前記選択された識別子および前記選ばれたノードの識別子少なくとも一つに基づいて、データを送信または受信することを含んでなる方法。
【請求項９】
請求項８に記載の方法であって、前記データ送信またはデータ受信が前記選ばれたノードに関連する方法。
【請求項１０】
請求項８に記載の方法であって、前記データ受信が、前記選択された識別子に関連する時間スロットの間にデータを受信することを含んでなる方法。
【請求項１１】
請求項８に記載の方法であって、前記データ送信が、前記選ばれたノードの識別子に関連する時間スロットの間にデータを送信することを含んでなる方法。
【請求項１２】
請求項８に記載の方法であって、前記送信または受信されるデータが制御データである方法。
【請求項１３】
請求項８に記載の方法であって、前記送信または受信されるデータがペイロードデータである方法。
【請求項１４】
請求項１に記載の方法であって：更に、
各検出されたノードに関連するチャンネル条件を決定することを含んでなり、前記選択は該チャンネル条件決定に基づく方法。
【請求項１５】
請求項１４に記載の方法であって：前記チャンネル条件決定は、
各検出されたノードに関連する干渉を決定することを含んでなり、前記選択は、該干渉決定に基づく方法。
【請求項１６】
請求項１５に記載の方法であって、前記干渉決定は、前記検出されたノードの識別子に基づく方法。
【請求項１７】
請求項１に記載の方法であって、前記アクセスノードは有線アクセスポイントを含んでなり、更に、前記選択は、前記有線アクセスポイントについての少なくとも二つの識別子の組から、ランダムに一つの識別子を選択することを含んでなる方法。
【請求項１８】
請求項１に記載の方法であって、前記アクセスノードは、有線アクセスポイント、無線アクセスポイント、およびアクセス端末のうちの一つを含んでなる方法。
【請求項１９】
請求項１に記載の方法であって、前記選ばれたノードは、有線アクセスポイント、無線アクセスポイント、およびアクセス端末のうちの一つを含んでなる方法。
【請求項２０】
データ通信のための装置であって：
少なくとも一つのノードの組を検出するための手段と；
検出された組から一つのノードを選ぶための手段であって、該選択されたノードは関連の識別子を有する手段と；
少なくとも二つの識別子の組から一つの識別子を選択するための手段と；
該選択された識別子、および選ばれたノードの識別子の少なくとも一つに基づいてデータを処理するための手段を具備してなり、
前記識別子の各々が、送信時間スロットまたは受信時間スロットを識別する装置。
【請求項２１】
請求項２０に記載の装置であって、前記選ぶための手段は、各検出されたノードに関連する識別子を決定することによりノードを選び、更に、前記ノードは少なくとも一つの決定された識別子に基づいて選ばれる装置。
【請求項２２】
請求項２０に記載の装置であって、前記選択された識別子は、前記選ばれたノードの識別子とは異なる装置。
【請求項２３】
請求項２０に記載の装置であって、前記少なくとも二つの識別子の組は、前記選ばれたノードの識別子および選択された識別子を含んでなる装置。
【請求項２４】
請求項２０に記載の装置であって、前記少なくとも二つの識別子の組は、アクセス端末によってのみ選択されるべき第一の識別子、およびアクセス端末またはアクセスポイントの何れかによって選択されるべき第二の識別子を含んでなる装置。
【請求項２５】
請求項２０に記載の装置であって、前記選択する手段は、前記装置の送信電力に基づいて前記識別子を選択する装置。
【請求項２６】
請求項２０に記載の装置であって、前記選択する手段は、前記装置に関連したサービスの品質に基づいて前記識別子を選択する装置。
【請求項２７】
請求項２０に記載の装置であって、前記処理する手段は、前記選択された識別子および前記選ばれたノードの識別子の少なくとも一つに基づいて、データを送信または受信することによりデータを処理する装置。
【請求項２８】
請求項２７に記載の装置であって、前記データ送信またはデータ受信は、前記選ばれたノードに関連する装置。
【請求項２９】
請求項２７に記載の装置であって、前記処理する手段は、前記選択された識別子に関連した時間スロットの間にデータを受信する装置。
【請求項３０】
請求項２７に記載の装置であって、前記処理する手段は、前記選ばれたノードの識別子に関連した時間スロットの間にデータを送信する装置。
【請求項３１】
請求項２７に記載の装置であって、前記送信または受信されるデータは制御データである装置。
【請求項３２】
請求項２７に記載の装置であって、前記送信または受信されるデータはペイロードデータである装置。
【請求項３３】
請求項２０に記載の装置であって：更に、
各検出されたノードに関連するチャンネル条件を決定するための手段を具備してなり、ここでの前記選択する手段は、前記チャンネル条件決定に基づいて前期識別子を選択する装置。
【請求項３４】
請求項３３に記載の装置であって、前記決定する手段は、各検出されたノードに関連する干渉を決定することによって前記チャンネル条件を決定し、更に、前記選択する手段は、前記干渉決定に基づいて前記識別子を選択する装置。
【請求項３５】
請求項３４に記載の装置であって、前記干渉決定は、前記検出されたノードの識別子に基づく装置。
【請求項３６】
請求項２０に記載の装置であって、前記装置は有線アクセスポイントに実装され、更に、前記選択する手段は、前記少なくとも二つの識別子の組からランダムに一つの識別子を選択する装置。
【請求項３７】
請求項２０に記載の装置であって、前記装置は、有線アクセスポイント、無線アクセスポイントおよびアクセス端末のうちの一つにおいて実装される装置。
【請求項３８】
請求項２０に記載の装置であって、前記選ばれたノードは、有線アクセスポイント、無線アクセスポイントおよびアクセス端末のうちの一つを含んでなる装置。
【請求項３９】
データ通信のための装置であって：
少なくとも一つのノードを含んでなる組を検出するように構成された検出モジュールと；
該検出された組から一つのノードを選ぶように構成された選ぶモジュールであって、該選ばれたノードはそれに関連した識別子を有するモジュールと；
少なくとも二つの識別子の組から一つの識別子を選択するように構成された選択モジュールと；
該選択された識別子および選ばれたノードの識別子の少なくとも一方に基づいてデータを処理するように構成された処理モジュールとを具備し、
前記識別子の各々が、送信時間スロットまたは受信時間スロットを識別する装置。
【請求項４０】
請求項３９に記載の装置であって、前記選ぶモジュールは、各検出されたノードに関連した識別子を決定することによってノードを選び、更に、前記ノードは少なくとも一つの決定された識別子に基づいて選ばれる装置。
【請求項４１】
請求項３９に記載の装置であって、前記選択された識別子は、前記選ばれたノードの識別子とは異なる装置。
【請求項４２】
請求項３９に記載の装置であって、前記少なくとも二つの識別子の組は、前記選ばれたノードの識別子および選択された識別子を含んでなる装置。
【請求項４３】
請求項３９に記載の装置であって、前記少なくとも二つの識別子の組は、アクセス端末によってのみ選択されるべき第一の識別子、およびアクセス端末またはアクセスポイントの何れかによって選択されるべき第二の識別子を含んでなる装置。
【請求項４４】
請求項３９に記載の装置であって、前記選択モジュールは、前記装置の送信電力に基づいて前記識別子を選択する装置。
【請求項４５】
請求項３９に記載の装置であって、前記選択モジュールは、前記装置に関連したサービスの品質に基づいて前記識別子を選択する装置。
【請求項４６】
請求項３９に記載の装置であって、前記処理するモジュールは、前記選択された識別子および前記選ばれたノードの識別子の少なくとも一つに基づいて、データを送信または受信することによりデータを処理する装置。
【請求項４７】
請求項４６に記載の装置であって、前記データ送信またはデータ受信は、前記選ばれたノードに関連する装置。
【請求項４８】
請求項４６に記載の装置であって、前記処理するモジュールは、前記選択された識別子に関連した時間スロットの間にデータを受信する装置。
【請求項４９】
請求項４６に記載の装置であって、前記処理するモジュールは、前記選ばれたノードの識別子に関連した時間スロットの間にデータを送信する装置。
【請求項５０】
請求項４６に記載の装置であって、前記送信または受信されるデータは制御データである装置。
【請求項５１】
請求項４６に記載の装置であって、前記送信または受信されるデータはペイロードデータである装置。
【請求項５２】
請求項３９に記載の装置であって：更に、
各検出されたノードに関連したチャンネル条件を決定するように構成された決定するモジュールを具備してなり、前記選択するモジュールは、該チャンネル条件決定に基づいて前記識別子を選択する装置。
【請求項５３】
請求項５２に記載の装置であって、前記決定するモジュールは、各検出されたノードに関連した干渉を決定することによりチャンネル条件を決定し、更に、前記選択するモジュールは、前記干渉決定に基づいて前記識別子を選択する装置。
【請求項５４】
請求項５３に記載の装置であって、前記干渉決定は、前記検出されたノードの識別子に基づく装置。
【請求項５５】
請求項３９に記載の装置であって、前記装置は有線アクセスポイント内に実装され、更に、前記選択するモジュールは、少なくとも二つの識別子の組からランダムに一つの識別子を選択する装置。
【請求項５６】
請求項３９に記載の装置であって、前記装置は有線アクセスポイント、無線アクセスポイント、およびアクセス端末の一つの中に実装される装置。
【請求項５７】
請求項３９に記載の装置であって、前記選ばれたノードは、有線アクセスポイント、無線アクセスポイント、およびアクセス端末のうちの一つを備えてなる装置。
【請求項５８】
データ通信のためのプロセッサであって：前記プロセッサは、
少なくとも一つのノードを含む組を検出し、
該検出された組から一つのノードを選び、ここで選ばれたノードはそれに関連した識別子を有し；
少なくとも二つの識別子の組から一つの識別子を選択し；
該選択された識別子および前記選ばれたノードの識別子の少なくとも一方に基づいて、データを処理するように構成され、
前記識別子の各々が、送信時間スロットまたは受信時間スロットを識別するプロセッサ。
【請求項５９】
データ通信のためのコンピュータプログラム製品であって：
コンピュータに対して、
少なくとも一つのノードの組を検出させ；
該検出された組から一つのノードを選ばせ、ここでの選ばれたノードはそれに関連した識別子を有し；
少なくとも二つの識別子の組から一つの識別子を選択させ；
該選択された識別子、および前記選ばれたノードの識別子の少なくとも一方に基づいてデータを処理させる
ためのコードを含んでなる、コンピュータ読取り可能な媒体を具備してなり、
前記識別子の各々が、送信時間スロットまたは受信時間スロットを識別するコンピュータプログラム製品。
【国際調査報告】
2009516486.tif 000013
2009516486.tif 000014
2009516486.tif 000015